(57)【特許請求の範囲】
【請求項１】
編み状模様を有する少なくとも１つの表面を有する成形パネルであって、前記パネルは連結部材を通して少なくとも部分的に相互連結される複数の編み目を備え、前記編み目の撚糸および前記連結部材が交差する場所で、前記編み目の撚糸および前記連結部材は共に一体化した中実の一体成形材料の場所を形成し、前記パネルは、前記パネルを通って延在する貫通開口を備え、前記パネルは一体型成形パネルである、成形パネル。
【請求項２】
前記パネルは、その構造上の連続性を前記パネルに提供するように構成された基層、および前記基層から突出し、その少なくとも１つの面上に前記パネルの少なくとも１つの面上の編み目模様によって構成され、前記パネルに前記編み状の視覚効果を提供する三次元の触感層を備え、前記基層は少なくとも部分的に穴が開けられ、前記穴は前記編み目模様の連結部材の間の空間によって構成される、請求項１に記載の成形パネル。
【請求項３】
前記基層は、各段において少なくとも前記編み目の間に延在する連結部材により、少なくとも部分的に構成される、請求項２に記載の成形パネル。
【請求項４】
前記触感層上の編み状の編み目は、編み目列を構成する同じ長手方向のストラップの各編み目内で徐々に広がる間隔をもつ、変化する編み模様を有する列内に配置され、前記列は前記連結部材を通して片側に隣接した列と相互連結される、請求項２に記載の成形パネル。
【請求項５】
前記パネルは、編み表面をそれぞれ模する２つの面を有する、請求項２に記載の成形パネル。
【請求項６】
前記パネルは前記触感層と適合する２面を有し、各層は異なる模様の編み表面を模する、請求項２に記載の成形パネル。
【請求項７】
前記編み状模様は非編み状表面を有する枠と一体成形される、請求項２に記載の成形パネル。
【請求項８】
前記表編みおよびそれらを相互連結する撚糸に掛かる力は均一に分配される、請求項１に記載の成形パネル。
【請求項９】
前記編み状模様は、一体成形された連結部材により互いに連結された表編みの複数の列からなり、前記外表面を画定する複数の湾曲した列は、前記編み模様の開始点からその終了点までの数を一定に維持し、前記貫通開口は前記編み模様の連結部材の間の空間によって構成される、請求項１に記載の成形パネル。
【請求項１０】
前記パネルの編み目の交差する撚糸は、前記撚糸が互いに成形されて連結されるか、または互いから切り離されるように交差部で一体成形される、請求項１に記載の成形パネル。
【請求項１１】
前記成形パネルは、前記触感層が変形されたときに、同じ形状構造および寸法を有するその編み状模様を維持するように、軸安定性を有する編み状表面を備える、請求項２に記載の成形パネル。
【請求項１２】
前記触感層は、あらゆる所望の編み模様に糸で編んだ編み目を有する、請求項２に記載の成形パネル。
【請求項１３】
プラスチック、高分子材料、金属、シリコン、ゴム、または成形工程に適切なあらゆる複合材料から形成される、請求項１に記載の成形パネル。
【請求項１４】
編み状模様を有する少なくとも１つの表面を有する成形中空物品であって、前記物品は、座る人の荷重を担うのに充分な剛性を有する三次元の空間構造を有し、前記編み状模様は請求項１乃至１３のいずれか１項に記載の成形パネルによって構成される、成形中空物品。
【請求項１５】
前記編み状模様は、一体成形された連結部材により互いに連結された表編みの複数の湾曲した列からなり、前記複数の湾曲した列は、前記外表面を画定し、前記編み模様の開始点からその終了点までの数を一定に維持する、請求項１４に記載の成形中空物品。
【請求項１６】
表編みの列の数は一定に維持される一方で、前記三次元の形状の湾曲に従う必要がある際に、各段における編み目の幅は徐々に増減する、請求項１４に記載の成形中空物品。
【請求項１７】
編み状模様を有する少なくとも１つの表面を有する成形パネルであって、前記パネルは連結部材を通して少なくとも部分的に相互連結される複数の編み目を備え、前記編み目の撚糸および前記連結部材が交差する場所で、前記編み目の撚糸および前記連結部材は共に一体化した中実の一体成形材料の場所を形成し、前記パネルは一体型成形パネルであり、前記パネルは、その構造上の連続性を前記パネルに提供するように構成された基層、および前記基層から突出し、その少なくとも１つの面上に前記パネルの少なくとも１つの面上の編み目模様によって構成され、前記パネルに前記編み状の視覚効果を提供する三次元の触感層を備え、前記基層は少なくとも部分的に穴が開けられ、前記穴は前記編み目模様の連結部材の間の空間によって構成される、成形パネル。
【発明の詳細な説明】
【技術分野】
【０００１】
開示された主題は、射出成形パネルおよびそのようなパネルを備える物品に関する。詳細には、本主題は、射出成形パネルおよび編み状表面を備える物品に関する。
【背景技術】
【０００２】
様々な種類の編み物が当技術分野では公知である。このような編み物は、通常、様々な糸、織物、布地、およびプラスチック撚糸などから編まれる。さらに編み物は、時には三次元の突出構造を取るように強化される。このような強化は、通常、繊維強化剤、接着剤、エポキシ、プラスチックなどによって得られる。また突出した編み物は、その編み物を緊密構造に維持するために充分な厚さを有する糸を使用して、緊密な編みによって得られる。編み模様の魅力が注目されているのに伴い、印刷をしたまたはその上に編み模様を型押しした様々な先行技術製品も存在する。
【発明の概要】
【発明が解決しようとする課題】
【０００３】
本開示の主題の目的は、射出成型工程で製造される、編みシート材に類似したパネルを提供することである。本開示の主題の別の目的では、家具または様々な物品の製品が少なくとも編みパネルに類似したパネル部を含む。パネルは平坦であることも、平坦でないことも可能である。
【０００４】
開示された主題のパネルは、２つの類似面を有することができる、すなわちこの場合、その両面は編み表面（「編み状表面」）を模している、もしくは２面がそれぞれ異なる模様の編み表面を模しているか、またはその１面はある模様の編み表面を模しており、その他方の面は平面である（通常、この場合、非可視化面であるか、または防水パネルである）。
【０００５】
機械または手動でなし得る程度の緊密さでパネルを編むと、パネルには通常少なくとも数個の隣接した表編みの間に微細な隙間／小穴が存在することが理解されよう。したがって開示された主題によるパネルもそのような隙間を備えて形成されるので、少なくとも一次元に「透かして見える」隙間すなわち開口を生じる。
【０００６】
さらに硬く突出した自立型物品を形成するのに充分な硬さをパネルに提供するために、通常編みパネルを支持する／固定する／包む／固定構造の周囲に張る、または硬化剤、例えばプラスチック、エポキシ、接着剤などで覆う必要がある。しかし、開示された主題によれば、パネルは自立型である、すなわちいかなる固定構造または部材もなく、装飾要素として、または強化要素としてパネルと一体的に枠を成形することができる。
【課題を解決するための手段】
【０００７】
したがって、パネルはあらゆる所望の模様および縁を有してもよく、完全な家具としてまたはその一部として、異なる三次元形状および模様で成形されてもよい。
【０００８】
さらに編み物とは違い、１本の撚糸で形成する編みパネルはないので、１つまたは複数の表編みまたは編む「撚糸」の一部を切り離す／引き裂くまたは緩めることにより、さらに人工パネルがほどけることはない。この構成により、表編みおよびそれらを相互連結する撚糸に掛かる力は実質的に均一に分配される。
【０００９】
本発明によれば、２つの表編みまたは撚糸が表編みの部分を形成する交差部で、２つの表編みまたは撚糸は共に中実の形成材料の場所を形成する（すなわち、その間に空間がなく、したがってその場所で互いを切り離すことはできない）が、表編みを形成する撚糸の少なくとも一部の間に隙間を広げることができ、表編みの撚糸の間にその両側で貫通開口を広げることができる。開示された主題によるパネルの性質により、該中実の成形材料の場所における材料の厚さを、互いに重なり合う撚糸を積層した厚さとほぼ等しく、より小さく、またはより大きくすることができる。
【００１０】
開示された主題によるパネルの編み目の交差する撚糸は、交差部で一体成形される、すなわち互いに成形して連結されるか、または互いから切り離される。
【００１１】
開示された主題によれば、編み状シート材は軸安定性を有する編み状表面を備える。編み状シート材は、変形されたとき、例えば折り曲げられた、湾曲されたときなどに、概ね同じ形状構造を有するその編み状模様を持続する。編み状シートは基層および少なくともその片側に三次元の触感層を備え、そのシートにその編み状の視覚効果を提供する。開示された主題による少なくとも触感層は、あらゆる所望の編み模様、例えば複数の表編みおよび裏編みを様々な組み合わせによって形成された、糸で編んだ編み目に類似している。開示された主題による基層は、少なくとも部分的に穿孔されており、例えば網状である。このような構成は、編んだシートの全体の外観を提供し、貫通開口を少なくとも１方向に有する。基層は、少なくとも各段において少なくとも編み目の間に延在する連結部材によって少なくとも一部が構成される。
【００１２】
編み状構造の軸安定性は、編み状模様の変形を防ぎ、編み状模様が実質的に同じ形状および寸法を維持する。編み模様は通常１つの連続した撚糸から形成されるが、糸で編んだシートの変形、例えばあらゆる軸方向への伸びにより、糸がその元の位置を離れるにつれて表編みが変形する。開示された主題によれば、編み状成形シートがあらゆる軸方向に変形するとき、表編みは概して同じ構成のままであり、したがってそれらの幾何学的形状を維持する。
【００１３】
開示された主題による編み状シート材は、あらゆる物品の一部、例えば２Ｄ、３Ｄを形成することができる。物品は敷物、置物、植木鉢、容器、花瓶、プーフまたはクッションシートなどの座面であり得る。
【００１４】
開示された主題によるシート材および物品は、プラスチック、高分子材料、金属、シリコン、ゴム、または射出成形、注型成形、吹込み成形または開示された主題によるシート材または物品を比較的迅速に製造できる同様の工程などの成形工程に適切なあらゆる複合材料から形成されることが可能である。
【００１５】
開示された主題の性質を具体例に限定することなく概ね理解できるように、この概説を提供した。添付図面に関連してその例の以下の詳述を参照することによって、本発明のより完全な理解が得られ得る。
【００１６】
本明細書に開示された主題をよりよく理解し、本主題が実際にどのように実行され得るかを例示するために、次に添付図面を参照して非限定的な例によって実施形態を説明する。
【図面の簡単な説明】
【００１７】
【図１Ａ】開示された主題によるシート材の一部を示す図である。図１Ａは上面斜視図であり、図１Ａおよび図１Ｂはそれぞれシートの底面側および上面側を示し、図１Ｄはシート材を矢印Ｃの方向に見たＡ−Ａ線に沿った断面を示し、図１Ｅはシート材をＢ−Ｂ線に沿った断面を示す。
【図１Ｂ】開示された主題によるシート材の一部を示す図である。図１Ａは上面斜視図であり、図１Ａおよび図１Ｂはそれぞれシートの底面側および上面側を示し、図１Ｄはシート材を矢印Ｃの方向に見たＡ−Ａ線に沿った断面を示し、図１Ｅはシート材をＢ−Ｂ線に沿った断面を示す。
【図１Ｃ】開示された主題によるシート材の一部を示す図である。図１Ａは上面斜視図であり、図１Ａおよび図１Ｂはそれぞれシートの底面側および上面側を示し、図１Ｄはシート材を矢印Ｃの方向に見たＡ−Ａ線に沿った断面を示し、図１Ｅはシート材をＢ−Ｂ線に沿った断面を示す。
【図１Ｄ】開示された主題によるシート材の一部を示す図である。図１Ａは上面斜視図であり、図１Ａおよび図１Ｂはそれぞれシートの底面側および上面側を示し、図１Ｄはシート材を矢印Ｃの方向に見たＡ−Ａ線に沿った断面を示し、図１Ｅはシート材をＢ−Ｂ線に沿った断面を示す。
【図１Ｅ】開示された主題によるシート材の一部を示す図である。図１Ａは上面斜視図であり、図１Ａおよび図１Ｂはそれぞれシートの底面側および上面側を示し、図１Ｄはシート材を矢印Ｃの方向に見たＡ−Ａ線に沿った断面を示し、図１Ｅはシート材をＢ−Ｂ線に沿った断面を示す。
【図２Ａ】開示された主題の別の例によるシート材のそれぞれの上面図および底面図の一部を示す図である。
【図２Ｂ】シート材をそれぞれＡ−Ａ線およびＢ−Ｂ線に沿って切り取った２つの断面の図である。
【図２Ｃ】開示された主題の別の例によるシート材のそれぞれの上面図および底面図の一部を示す図である。
【図２Ｄ】シート材をそれぞれＡ−Ａ線およびＢ−Ｂ線に沿って切り取った２つの断面の図である。
【図３】開示された主題のさらなる例による湾曲したシート材の、図４ＡにおいてＡで印された断面である。
【図４Ａ】開示された主題による座席プーフのそれぞれ上面斜視図および上面図である。
【図４Ｂ】開示された主題による座席プーフのそれぞれ上面斜視図および上面図である。
【図５】開示された主題の別の例による物品の底面図である。
【発明を実施するための形態】
【００１８】
図１Ａ〜図１Ｅは開示された主題によるシート材パネルの一部の例を示す。シート材またはパネルは、単一の成形工程で製造された一体型成形品である。開示された主題の一例によれば、編み状の外観を有する物品も単一の成形工程で製造された一体型成形品であることが可能である。
【００１９】
さらに例証する図に明確に見られるように、編み模様を模した編み目は実質的に円形断面からなるのに対して、図２Ａでは上面に延在する編み目、すなわち編み模様を模した編み目は少なくとも曲面を有するが、パネルの底面側は平らである。したがってあらゆる種類の編み状模様を使用してもよく、さらに擬態の撚糸の質感および色も実際には無制限であり、自然な色および質感からそれ以外のエンティティの色および質感まで変化してもよく、同様に撚糸の断面も長方形、多角形、またはそれ以外の形状の断面であり得ることが理解されよう。さらに本発明が関与するパネルは、決して平面パネルに限定されず、むしろ例えば図３〜図５を参照してさらに論じるように、あらゆる形の物品を形成できることを理解されたい。
【００２０】
図１Ａにおけるシート材パネルは、上面側１０５および底面側１０７を有する概ね１００で表された編み状のプラスチック射出成形パネルであり、延在する連続した長手方向ストリップ１５０内に編み状模様を長手方向に延在する表編み列１１０を備え、それぞれのストリップ／列はその両側で長手方向に延在する破線で示されている。ストリップは、２つのストリップ１５０において対応する表編み１１０（および反対側の１２０）の間に、すなわち各段において自然な編み作業のように延在する、横方向に延在する連結部材１３０によって相互連結される。パネルの上面側１０５は表編み１１０の模様（図１Ｃ参照）に類似しており、底面側１０７は裏編み１２０の模様（図１Ｂ参照）に類似している。
【００２１】
開示された主題によれば、成形された編み状シート材１００は軸安定性を有する。例えば図１Ｄおよび図２Ｂに見られるように、編み状成型パネル１００／１００’は基層１６０、および基層から突出し、シート１００の上面側１０５上の編み目模様によって構成された三次元の触感層、および底面部１０７上に自然な編み模様に対応する三次元の編み状表面を備え、シートにその編み状の視覚効果を提供する。基層はパネルにその構造的連続性を提供する。図２のパネルは図１のパネルに類似しており、同じ要素を指す番号に図２では「’」が印されている。２つのパネル間の主な相違は、その上面１０５’に配置された唯一の触感層を有する図２のパネルに存在し、触感層上の表編みは同じ長手方向のストラップ１５０’の各表編み１１０’内で徐々に広がる間隔を有する。例えば編み目１０９Ａは編み目を形成する撚糸部の間に間隔がないように、より緊密な外観の編み目を有する一方で、編み目１０９Ｂは、１列内のそれぞれの連続した２つの編み目の撚糸部の間に形成された開口１０８Ａおよび１０８Ｂを有する。撚糸は緩むはずであり、撚糸の形状は変形するはずであるので、それらの開口は自然な編み作業では得ることはできないはずである。これは主に様々な編み模様を有する触感層を担うための基板を形成する、基層１６０の提供によって促進される。
【００２２】
開示された主題による基層１６０は、少なくとも部分的に穴が開けられ、例えば網状である。網は相互連結する撚糸によって構成され、例えば連結部材１３０は、相互連結の場所で共に中実の分離できない連結点を形成し、少なくとも連結部材間の空間は網の開口を構成する。これは少なくとも図１Ｄおよび図１Ｅに見られ、基層は少なくとも部分的に相互連結された撚糸から構成され、さらに表編みのない場所では横方向に延在する連結部材が基層の一部を形成するように、上面および底面に表編み模様を形成する。本例ではパネルの両面上の編み目が模してあるが、図２Ａ〜図２Ｄに見られるように、また上に論じたように、パネルの底面が実質的に平らなままであるように、基層の片側のみが三次元の触感層を提供されている。しかし、開示された主題によれば、編み状の外観を提供するために、表編みの列の長手方向のストリップは、横方向に延在する連結部材１３０によって相互連結される。したがって、図１の例のように、横方向に延在する連結部材は長手方向に離間され、パネルを貫通する開口１８０を生じる。少なくとも図２Ａに見られるように、このような構造は編んだシートの全体の外観を提供し、編み目の列の間に間隔を有する。
【００２３】
さらに図３〜図５に注意されたい。図３〜図５は、湾曲し平らでない物品および編み状表面パネルで形成されたその断片を示し、その物品は平らでない湾曲した表面を有する。
【００２４】
図３〜図５のパネルおよび物品は湾曲した構造を有し、パネルの上述の特徴は維持されている。パネルは単一工程、例えば射出成形で編み状の模様に沿って所望の形状に成形される。示されたパネルおよび物品は堅固なプラスチック材料から作成される。図２を参照して上に開示されたように、編み模様はパネル表面に沿って変更できるが、従来の自然な編み工程の場合のように実質的に撚糸を緩めたり締め付けたりすることにより、編み状の模様が変形することはない。図３は表編みからなる編み列の連続性を接近して見ることができる、全体を３００で表された湾曲パネルの断片を示す。パネル３００は、編んだプーフに似ている座席プーフ４００を示す図４Ａの断片Ａである。しかし、プーフに三次元形状を提供するためにプーフの編んだ外郭に所望の容積を提供する必要があるはずである、通常の編んだプーフとは違い、図４Ａおよび図４Ｂのプーフ４００は、例えば座る人の荷重を担うのに充分な剛性を有する、射出成形のプラスチック材料から作成される。プーフの外表面４５０は、開示された主題による湾曲パネルによって構成された編み状表面を有することは注目に値する。編んだ表面４５０は、一体成形された連結部材３３０により互いに連結された表編み（説明を簡単にするために図３ではそのような１つの列を強調した）の湾曲した列３５０からなる。プーフ４００の外表面４５０を画定する複数の半径方向に延在した湾曲した列３５０は、編み模様の開始点からその終了点までの数を一定に維持する。これはプーフの長手方向軸Ｘの周囲のプーフの湾曲および半径の変化に適合するために、その幅を広げるように各列を計画することによって促進される。編物業界の当業者には理解されるように、このような模様は、湾曲および半径の拡張の計画は編み目数の増加、すなわち、数段ごとに列の数を少なくとも１列に追加する必要があり、これは図４Ａおよび図５において物品上に見られる編み模様の対称性を維持しないはずであるので、自然な編み工程ではできないはずである。半径の低減は列数を低減させる必要があるはずであり、これは開示された主題によれば、開口が大きくなるほど編み目が広がるように、編み目の撚糸の間の開口を計画することによって可能である。それにもかかわらず、パネル全体および物品の構造上の一体性は、編み状表面の触感層を担うパネルの基層が原因で歪むことなく維持される。
【００２５】
図５は物品５００上の編み状模様が異なる模様を示す。それでもやはり表編みの列５５０の数は一定に維持される一方で、物品の湾曲に従い、また物品の半径を増加させる必要がある際に、各段における編み目の幅は徐々に増減することが見られよう。上に示したように、これは通常の編み工程ではできないはずである。さらに物品５００は封止部５７０を備え、パネルの基層（図示せず）に開口はない。
【００２６】
開示された主題を論じ特定の編み模様および物品の形状について示し、またその多くの詳細を説明のために提示したが、開示された主題は追加の変形の影響を受けやすく、いくつかの詳述は開示された主題の原理から逸脱することなく変更できることが当業者には明らかになろう。
【図１Ａ】
0006612327.tif 000002
【図１Ｂ】
0006612327.tif 000003
【図１Ｃ】
0006612327.tif 000004
【図１Ｄ】
0006612327.tif 000005
【図１Ｅ】
0006612327.tif 000006
【図２Ａ】
0006612327.tif 000007
【図２Ｂ】
0006612327.tif 000008
【図２Ｃ】
0006612327.tif 000009
【図２Ｄ】
0006612327.tif 000010
【図３】
0006612327.tif 000011
【図４Ａ】
0006612327.tif 000012
【図４Ｂ】
0006612327.tif 000013
【図５】
0006612327.tif 000014